(57)【要約】【課題】本発明は装置本体に対してＬＣＤ等の表示装置を有するカバーの開閉を検知する検出機構を有した情報処理装置に関し、装置本体内への塵埃の侵入を防止することを課題とする。【解決手段】装置本体２２と、回動することにより装置本体２２に対し開閉される蓋体２３と、この蓋体２３の開閉を検出する検出機構２９とを有する情報処理装置において、この検出機構２９を、蓋体２３と一体的に回動する回動軸３２に設けられたカム部３３と、装置本体２２に設けられており蓋体２３の開閉によりカム部３３によりレバー部材３５を介して操作され蓋体２３の開閉を検出する検出スイッチ３０とにより構成する。【選択図】  図３
2009163768.tif 000002
【特許請求の範囲】
【請求項１】
情報処理を行なうための装置が搭載された装置本体と、
該装置本体に軸承されて回動することにより、前記装置本体に対し開閉される蓋体と、
該蓋体の開閉を検出する検出機構とを有する情報処理装置において、
前記検出機構を、
前記蓋体と一体的に回動する回動軸に同軸的に設けられ、該回動軸と共に回転するカム部と、
前記装置本体に設けられており、前記蓋体の開閉により前記カム部により直接的または間接的に操作され、前記蓋体の開閉を検出する検出スイッチと
により構成したことを特徴とする情報処理装置。
【請求項２】
請求項１記載の情報処理装置において、
前記カム部と前記検出スイッチとの間に、前記カム部の変位を前記検出スイッチに伝達するレバー部材を配設したことを特徴とする情報処理装置。
【請求項３】
請求項１または２記載の情報処理装置において、
前記装置本体に内部機器を覆うよう配設されたカバー部材が、前記検出機構を覆うよう構成したことを特徴とする情報処理装置。
【請求項４】
請求項１乃至３のいずれか１項に記載の情報処理装置において、
前記検出スイッチは、前記蓋体に設けられた表示装置の起動及び停止を行なうスイッチであることを特徴とする情報処理装置。
【発明の詳細な説明】
【技術分野】
【０００１】
本発明は情報処理装置に係り、特に装置本体に対してＬＣＤ等の表示装置を有するカバーの開閉を検知する検出機構を有した情報処理装置に関する。
【０００２】
近年、パーソナルコンピュータに代表される情報処理装置はその用途に応じて多様化しており、その一形態として小型化及び薄型化を図ることにより携帯可能な構成としたラップトップＰＣと呼ばれる携帯用情報処理装置が提供されている。
【０００３】
この種の情報処理装置は、ＣＰＵ，メモリー等の各種回路やキーボート等が配設される装置本体と、この装置本体に回動可動に取り付けられると共に液晶表示装置等を組み込んだ蓋体とにより構成されている。
【０００４】
携帯時には蓋体は装置本体に重なるよう回動され、これにより携帯性を向上させている。また、情報処理装置の使用時には、蓋体を装置本体に対して液晶表示装置が視認される位置まで回転させる。
【０００５】
この際、バッテリーの省電力化を図る面から、また操作性の向上の面から、携帯時（蓋体が装置本体と重なった状態）では液晶表示装置の電源を自動的に切り、蓋体を開いたときに液晶表示装置の電源を自動的に入れる構成となっている。このため、この種の情報処理装置には、蓋体の開閉を検出する検出機構が設けられている。
【背景技術】
【０００６】
図１及び図２は、従来の一例である情報処理装置１を示している。この情報処理装置１は、携帯用のいわゆるラップトップＰＣであり、大略すると装置本体２と蓋体３とにより構成されている。
【０００７】
装置本体２には図示しないカーソル操作部、キーボード、各種回路基板（中央演算処理装置，各種制御装置等が配設されている）、インターフェース機器，電源装置等が配設されている。一方、蓋体３には液晶表示装置８が配設されている。
【０００８】
前記したように携帯用の情報処理装置１は、携帯時において蓋体３は装置本体２に重なるよう回動されこれにより携帯性を向上させている。また、情報処理装置１の使用時には、液晶表示装置８が良好に視認される位置まで蓋体３を装置本体２に対して回転し使用される。
【０００９】
また、情報処理装置１にはバッテリーの省電力化を図る面及び操作性の向上の面から検出機構９が設けられており、蓋体３が装置本体２と重なった状態の携帯時には液晶表示装置８の電源を自動的に切り、蓋体３を開いたときに液晶表示装置８の電源を自動的に入れる構成となっている。
【００１０】
従来、この検出機構９は、蓋体３に形成された操作部１３と、装置本体２に配設された検出スイッチ１０とにより構成されていた。操作部１３は図１に示すように蓋体３の内側壁３ａ、具体的には蓋体３の回動中心近傍の内側壁３ａに突出形成されている。また、検出スイッチ１０は、そのスイッチノブ１１が装置本体２に設けられたカバー部材７に形成された開口部１２内に位置する構成とされている。
【００１１】
そして、蓋体３が閉蓋された際、操作部１３が開口部１２内に侵入してスイッチノブ１１を押圧操作し、これにより検出スイッチ１０がＯＮ／ＯＦＦの切替えを行なう構成とされていた。よって、検出機構９によれば、検出スイッチ１０から出力されるＯＮ／ＯＦＦ信号により、蓋体３の開閉状態を検出することが可能となり、蓋体３が開蓋したときに液晶表示装置８を起動させ、蓋体３が閉蓋したときに液晶表示装置８を停止させることが可能となる。
【先行技術文献】
【特許文献】
【００１２】
【特許文献１】特開平０４−２４２０６６号公報
【特許文献２】特開平１０−２６８９７１号公報
【特許文献３】特開平１０−３０１６６６号公報
【特許文献４】特開平１１−０８５３２０号公報
【特許文献５】特開平１１−００４０８５号公報
【特許文献６】特開平１１−２５９１７６号公報
【発明の概要】
【発明が解決しようとする課題】
【００１３】
しかしながら従来の情報処理装置１に用いられていた検出機構９では、カバー部材７に開口部１２を形成し、操作部１３がこの開口部１２を介して検出スイッチ１０を操作するよう構成する必要がある。
【００１４】
このため、開口部１２から装置本体２の内部に塵埃が侵入するおそれがあり、これが電子部品や駆動部に付着した場合、適正な回路動作や駆動処理ができなくなるおそれがあるという問題点があった。また、操作者が操作中に最もよく見る位置である液晶表示装置８の近傍位置に操作部１３が存在するのは、デザイン的にも問題点がある。
【００１５】
本発明は上記の点に鑑みてなされたものであり、塵埃の侵入を防止できると共に美観の向上も図り得る情報処理装置を提供することを目的とする。
【課題を解決するための手段】
【００１６】
上記の課題を解決するために本発明では、次に述べる各手段を講じたことを特徴とするものである。
【００１７】
請求項１記載の発明は、
情報処理を行なうための装置が搭載された装置本体と、
該装置本体に軸承されて回動することにより、前記装置本体に対し開閉される蓋体と、
該蓋体の開閉を検出する検出機構とを有する情報処理装置において、
前記検出機構を、
前記蓋体と一体的に回動する回動軸に同軸的に設けられ、該回動軸と共に回転するカム部と、
前記装置本体に設けられており、前記蓋体の開閉により前記カム部により直接的または間接的に操作され、前記蓋体の開閉を検出する検出スイッチとにより構成したことを特徴とするものである。
【００１８】
上記発明によれば、蓋体の開閉によりカム部が直接的または間接的に検出スイッチを操作し、これにより蓋体の開閉を検出することができる。この際、検出スイッチを操作するカム部は、装置本体に対し回動する蓋体の回動中心となる回動軸に同軸的に設けられており、この回動軸と共に回転する。
【００１９】
これにより、検出スイッチを回動軸の軸方向の端部でカム操作することが可能となり、装置本体に開口を設けたり、また蓋体の内側壁に操作部を設ける必要がなくなる。よって、装置本体内に塵埃が侵入することを防止できると共に美観の向上を図ることができる。
【００２０】
また、請求項２記載の発明は、
請求項１記載の情報処理装置において、
前記カム部と前記検出スイッチとの間に、前記カム部の変位を前記検出スイッチに伝達するレバー部材を配設したことを特徴とするものである。
【００２１】
上記発明によれば、カム部と検出スイッチとの間にレバー部材を配設し、このレバー部材によりカム部の変位を検出スイッチに伝達する構成としたことにより、検出スイッチの配設位置に自由度を持たせることができる。
【００２２】
また、請求項３記載の発明は、
請求項１または２記載の情報処理装置において、
前記装置本体に内部機器を覆うよう配設されたカバー部材が、前記検出機構を覆うよう構成したことを特徴とするものである。
【００２３】
上記発明によれば、装置本体に内部機器を覆うよう配設されたカバー部材を利用して検出機構を覆う構成としたことにより、検出機構を別部材で覆う構成に比べ、部品点数の削減及び製品コストの低減を図ることができる。また、検出機構をより確実に覆うことができるため、塵埃の侵入をより確実に防止できる。
【００２４】
また、請求項４記載の発明は、
請求項１乃至３のいずれか１項に記載の情報処理装置において、
前記検出スイッチは、前記蓋体に設けられた表示装置の起動及び停止を行なうスイッチであることを特徴とするものである。
【００２５】
上記発明によれば、蓋体の開閉に伴い表示装置を確実に起動及び停止することができる。
【発明の効果】
【００２６】
請求項１記載の発明によれば、検出スイッチを回動軸の軸方向の端部でカム操作することが可能となり、装置本体に開口を設けたり、また蓋体の内側壁に操作部を設ける必要がなくなるため、装置本体内に塵埃が侵入することを防止できると共に美観の向上を図ることができる。
【００２７】
また、請求項２記載の発明によれば、検出スイッチの配設位置に自由度を持たせることができる。
【００２８】
また、請求項３記載の発明によれば、検出機構を別部材で覆う構成に比べて部品点数の削減及び製品コストの低減を図ることができると共に、検出機構をより確実に覆うことができるため塵埃の侵入をより確実に防止できる。
【００２９】
また、請求項４記載の発明によれば、蓋体の開閉に伴い表示装置を確実に起動及び停止することができる。
【図面の簡単な説明】
【００３０】
【図１】図１は、従来の一例である情報処理装置の検出機構近傍を拡大して示す斜視図である。
【図２】図２は、従来の一例である情報処理装置の検出機構近傍を拡大して示す断面図である。
【図３】図３は、本発明の一実施例である情報処理装置の検出機構近傍を拡大して示す斜視図である。
【図４】図４は、本発明の一実施例である情報処理装置の検出機構近傍を拡大して示す断面図である。
【図５】図５は、本発明の一実施例である情報処理装置の全体構成を示す斜視図である。
【発明を実施するための形態】
【００３１】
次に、本発明の実施の形態について図面と共に説明する。
【００３２】
図３乃至図５は、本発明の一実施例である情報処理装置２０を示している。図３は情報処理装置２０の検出機構２９近傍を拡大して示す斜視図（カバー部材２７を取り外した状態の斜視図）である。また、図４は情報処理装置２０の検出機構２９近傍を拡大して示す断面図である。更に、図５は情報処理装置２０の外観を示す斜視図である。いずれの図においても、蓋体２３が開蓋された状態を示している。
【００３３】
図５に示されるように、本実施例に係る情報処理装置２０は携帯用のいわゆるラップトップＰＣである。この情報処理装置２０は、大略すると装置本体２２と蓋体２３とにより構成されている。
装置本体２にはカーソル操作部２４,キーボード２６及び図示しない各種回路基板（中央演算処理装置，各種制御装置等が配設されている）、インターフェース機器，電源装置等が配設されている。一方、蓋体２３には液晶表示装置２８等が配設されている。
【００３４】
そして、携帯時において蓋体２３は装置本体２２に重なるよう図５に矢印Ｂ１で示す方向に回動され、これにより不使用時の携帯性を向上させている。また、情報処理装置２０の使用時には、液晶表示装置２８が良好に視認される位置まで蓋体２３を図５に矢印Ｂ２で示す方向に回動する。
【００３５】
本実施例においては、装置本体２２と蓋体２３は、その接合位置の両側部に設けられた軸承部２５により軸承された構成とされている。即ち、蓋体２３は、軸承部２５により装置本体２２に対して矢印Ｂ１，Ｂ２方向に回動する構成とされている。
【００３６】
一方、本実施例に係る情報処理装置２０においても、バッテリーの省電力化を図る面及び操作性の向上の面から検出機構２９が設けられている。この検出機構２９は、蓋体２３が装置本体２２と重なった状態である携帯時（不使用時）には液晶表示装置２８の電源を自動的に切り、蓋体２３を開いた情報処理装置２０の使用時に液晶表示装置２８の電源を自動的に入れる構成となっている。
【００３７】
以下、主に図３及び図４を参照しつつ、検出機構２９の具体的構成について説明する。
検出機構２９は、大略すると検出スイッチ３０，カム部３３，及びレバー部材３５等により構成されている。検出スイッチ３０はスイッチノブ３１を操作されることによりＯＮ／ＯＦＦの切替えが行なわれるスイッチであり、装置本体２２内に配設された回路基板３９に配設されている。
【００３８】
この回路基板３９には液晶表示装置２８の起動／停止を行なう制御回路が搭載されており、この回路基板３９に検出スイッチ３０は直接配設されている。このように、検出スイッチ３０を回路基板３９に直接接合することにより、応答性の向上を図ることができると共に、回路基板３９と別個に検出スイッチ３０を配設した場合に必要となる配線を不要とすることができる。尚、本実施例の構成では、回路基板３９は装置本体２２のフロント部分（図における上部）に対し、深い位置に配設されている。
【００３９】
カム部３３は、回動軸３２の端部（図３における矢印Ｘ１方向の端部）に一体的に設けられている。このカム部３３は、回動軸３２の回転中心軸に対し同軸的な構成とされている。また、カム部３３のカム形状は、その最大リフト量が回動軸３２の半径より小さくなるよう構成されている。即ち、カム部３３は、図４に示す如く、側面視した状態で回動軸３２の外周円より内部に位置する構成となっている。
【００４０】
カム部３３が形成された回動軸３２は、蓋体２３と一体的に回動するよう構成されている。従って、カム部３３も蓋体２３の回動に伴い、一体的に回動する構成とされている。カム部３３の最もリフト量が大きい領域である操作部３４は、蓋体２３が図５に矢印Ｂ１方向に回動されて閉蓋された際、後述するレバー部材３５の上辺部３６を下方（図４に矢印Ｚ１で示す方向）に押圧操作する構成とされている。
【００４１】
レバー部材３５は板バネ状の部材であり、その一端部（図３における矢印Ｘ２方向の端部）は装置本体２２に固定されている。即ち、レバー部材３５は、片持ち梁状に固定された構成とされている。
【００４２】
また、このレバー部材３５は略Ｚ状の形状とされており、その上部には上辺部３６が、また下部には下辺部３７が形成されている。前記したように、上辺部３６はカム部３３の操作部３４と傾向するよう構成されている。更に、下辺部３７は、前記した検出スイッチ３０のスイッチノブ３１と対向するよう構成されている。
【００４３】
従って、上記のようにカム部３３の操作部３４により上辺部３６が押圧操作されると、レバー部材３５は図４に矢印Ｚ１方向に弾性変形し、下辺部３７はスイッチノブ３１を押圧操作する。これにより、蓋体２３が閉蓋された際、カム部３３はレバー部材３５を介して検出スイッチ３０を操作することとなり、検出スイッチ３０からの出力信号により蓋体２３の開閉状態を検出することができる。
【００４４】
ところで、上記したように本実施例に係る検出機構２９では、回動軸３２の端部（Ｘ１方向端部）にこれと同軸時に設けられたカム部３３を用いて検出スイッチ３０の操作を行なう構成としている。更に、カム部３３のカム形状は、側面視した状態で回動軸３２の外周円より内部に位置する構成となっている。
【００４５】
この構成とすることにより、従来のように装置本体２２に開口を設ける必要はなくなり、また従来のように蓋体２３の内側壁に操作部を設ける必要がなくなる。即ち、図４に示されるように側面視した状態では、カム部３３は回動軸３２からはみ出すことがないため、回動軸３２をカバー部材２７により覆うことが可能となる。
【００４６】
このため、本実施例では、カバー部材２７にＵ字状部３８を形成し、このＵ字状部３８内にカム部３３が位置するよう構成している。この構成とすることにより、装置本体２２内に塵埃が侵入することを防止できると共に、情報処理装置２０の美観の向上を図ることができる。
【００４７】
また、本実施例ではカム部３３により直接検出スイッチ３０を操作する構成とはせず、レバー部材３５を介して操作力を伝達する構成とした。この構成とすることにより、カム部３３の配設位置と検出スイッチ３０の配設位置を離間させることが可能となり、カム部３３の配設位置及び検出スイッチ３０の配設位置に自由度を持たせることができる。
【００４８】
特に、本実施例のような小型薄型化が望まれる情報処理装置１では、カム部３３と検出スイッチ３０を近接配置することが困難な場合が発生する。しかしながら、上記のようにカム部３３及び検出スイッチ３０の配設位置に自由度を持たせることにより、情報処理装置１の小型化及び薄型化を図ることができる。尚、他の構成要素との関係で、カム部３３と検出スイッチ３０を近接配置できる場合には、必ずしもレバー部材３５を用いる必要はない。
【００４９】
また、上記したように本実施例では、カム部３３を覆う部材としてカバー部材２７を利用する構成とした。このカバー部材２７は、従来から装置本体２２の蓋体２３に近接する部位に配設されるものである。
【００５０】
そして、このカバー部材２７にＵ字状部３８を形成し、このＵ字状部３８で操作部３４を覆う構成とした。この構成とすることにより、カム部３３（検出機構２９）をカバー部材２７以外の別部材で覆う構成に比べ、部品点数の削減及び製品コストの低減を図ることができる。また、カム部３３（検出機構２９）検出機構をより確実に覆うことができるため、塵埃の侵入をより確実に防止できる。
【００５１】
尚、上記した実施例では、情報処理装置としてラップトップタイプのパーソナルコンピュータを例に挙げて説明したが、本発明の適用はこれに限定されものではなく、装置本体に対し蓋体を開閉する構成の情報処理装置（例えば、携帯型ＤＶＤプレヤーやナビゲーションシステム等）に対し、広く適用できるものである。
【符号の説明】
【００５２】
２０  情報処理装置
２２  装置本体
２３  蓋体
２４  カーソル操作部
２５  軸承部
２７  カバー部材
２８  液晶表示装置
２９  検出機構
３０  検出スイッチ
３２  回動軸
３３  カム部
３４  操作部
３５  レバー部材
３８  Ｕ字状部
【図１】
2009163768.tif 000003
【図２】
2009163768.tif 000004
【図３】
2009163768.tif 000005
【図４】
2009163768.tif 000006
【図５】
2009163768.tif 000007
【手続補正書】
【提出日】平成21年5月12日(2009.5.12)
【手続補正１】
【補正対象書類名】明細書
【補正対象項目名】００１７
【補正方法】変更
【補正の内容】
【００１７】
請求項１記載の発明は、
情報処理を行なうための装置が搭載された装置本体と、
該装置本体に軸承されて回動することにより、前記装置本体に対し開閉される蓋体と、
該蓋体の開閉を検出する検出機構とを有する情報処理装置において、
前記検出機構は、
前記蓋体と一体的に回動する回動軸に同軸的に設けられ、該回動軸と共に回転するカム部と、
前記装置本体に設けられており、前記蓋体の開閉により前記カム部により直接的または間接的に操作され、前記蓋体の開閉を検出する検出スイッチとを有し、
前記カム部は、前記回転軸を側面視した状態で、該回動軸の外周円より内部に位置することを特徴とするものである。
【手続補正２】
【補正対象書類名】特許請求の範囲
【補正対象項目名】全文
【補正方法】変更
【補正の内容】
【特許請求の範囲】
【請求項１】
情報処理を行なうための装置が搭載された装置本体と、
該装置本体に軸承されて回動することにより、前記装置本体に対し開閉される蓋体と、
該蓋体の開閉を検出する検出機構とを有する情報処理装置において、
前記検出機構は、
前記蓋体と一体的に回動する回動軸に同軸的に設けられ、該回動軸と共に回転するカム部と、
前記装置本体に設けられており、前記蓋体の開閉により前記カム部により直接的または間接的に操作され、前記蓋体の開閉を検出する検出スイッチとを有し、
前記カム部は、前記回転軸を側面視した状態で、該回動軸の外周円より内部に位置する情報処理装置。
【請求項２】
請求項１記載の情報処理装置において、
前記カム部と前記検出スイッチとの間に、前記カム部の変位を前記検出スイッチに伝達するレバー部材を配設した情報処理装置。
【請求項３】
請求項１または２記載の情報処理装置において、
前記装置本体に内部機器を覆うよう配設されたカバー部材が、前記検出機構を覆うよう構成した報処理装置。
【請求項４】
請求項１乃至３のいずれか１項に記載の情報処理装置において、
前記検出スイッチは、前記蓋体に設けられた表示装置の起動及び停止を行なうスイッチである報処理装置。